(57)【特許請求の範囲】
【請求項１】
受話器に取り付けられる振動装置であって、
該振動装置は、前記受話器のスピーカに配置されるマイク及び振動子と、
前記マイクの受音信号を前記振動子に伝達するための電気回路と、
前記マイク、前記振動子、及び前記電気回路を駆動するための電源部と、
前記マイク、前記振動子、前記電気回路、及び前記電源部を前記受話器に固定するためのホルダと、を有しており、
前記電気回路が、前記受話器の使用又は不使用を検知するための角速度センサ又は加速度センサを有していることを特徴とする振動装置。
【請求項２】
前記振動子は、人体に接触させて、該接触部分から体組織を振動させることにより音を伝える伝導型振動子である、請求項１に記載の振動装置。
【請求項３】
前記電気回路は、前記角速度センサ又は加速度センサからの信号を受ける制御部と、
前記電源部と前記制御部とを導通又は遮断の切り替えをさせるスイッチング部とを有し、
前記スイッチング部は、前記電源部と前記制御部との間を導通状態にして、前記マイクからの受音信号を前記振動子に伝達させる半導体素子と、
前記電源部と前記制御部との間を遮断状態にして、前記マイクからの受音信号を前記振動子に伝達させないスイッチング素子又は増幅素子と、を含む、請求項１に記載の振動装置。
【請求項４】
前記半導体素子は、サイリスタ又は半導体リレーである、請求項３に記載の振動装置。
【請求項５】
前記スイッチング部は、手動スイッチに接続されている、請求項４に記載の振動装置。
【請求項６】
前記スイッチング素子又は前記増幅素子は、電界効果トランジスタ又は水銀スイッチである、請求項３に記載の振動装置。
【請求項７】
前記マイクは、チューブマイクである、請求項１に記載の振動装置。
【請求項８】
前記電源部は、一次電池である、請求項１に記載の振動装置。
【請求項９】
前記ホルダは、前記受話器に着脱可能なマジックテープを含む、請求項１に記載の振動装置。 
【発明の詳細な説明】
【技術分野】
【０００１】
本発明は、電話受話器に取付けられる振動装置に関し、特に、高齢者や難聴の方、または工事現場等の騒音の大きな場所での使用においても十分聞き取ることができる、振動装置に関するものである。
【背景技術】
【０００２】
最近、高齢者や難聴の方を対象に、骨伝導スピーカを取付けた電話受話器が知られている。前記電話受話器は、既存の電話受話器を取り替えて骨伝導受話ができるようにしたものである。例えば、特許文献１には、既存の電話機にその機種を問わずに付け替えて使用することができる骨伝導の電話受話器を提供している。
【先行技術文献】
【特許文献】
【０００３】
【特許文献１】特開２００５−１９２２５９号公報
【発明の概要】
【発明が解決しようとする課題】
【０００４】
一般に、骨伝導スピーカを駆動させるためには駆動用のアンプが必要であり、前記特許文献１では、アンプを駆動するための電源をＡＣアダプタから得られるようにしている。
【０００５】
また、前記特許文献１には、追加機能としてアンプ駆動用電源の入切スイッチを、スプリングによって付勢された状態にてケーシングから突出するように設置する旨記載されている。そして、電話機本体から送受話器を取り上げることにより、スプリングの作用で突出してスイッチオンとなってアンプの電源が入り、送受話器の置き部上に降ろすと、該スイッチが押されてケーシングに埋没状態となり、スイッチオフとなる旨記載されている。
【０００６】
しかしながら、前記特許文献１に記載された電話受話器は、既存の電話受話器を全て取り替えることを前提とすることから、新たな電話受話器の製造が必要であると共に、該電話受話器のコストが高くなる問題がある。また、アンプを駆動するための電源をＡＣアダプタから得るようにしていることから、常時ＡＣアダプタを家庭用コンセント等に繋いでおく必要がある。さらに、ユーザにしてみれば該電話受話器の取り替え作業を行う必要があり、特に、高齢者にとって、該作業を強いられることに対して精神的負担が大きいという問題がある。
【０００７】
本発明は上記の事情に着目してなされたものであって、その目的は、既存の電話受話器を取り替えることなく、該電話受話器に対して簡単な取付けをするだけで、骨伝導受話を可能とする振動装置を提供することにある。
【課題を解決するための手段】
【０００８】
上記課題を解決し得た本発明の振動装置は、受話器に取り付けられる振動装置であって、該振動装置は、前記受話器のスピーカに配置されるマイク及び振動子と、前記マイクの受音信号を前記振動子に伝達するための電気回路と、前記マイク、前記振動子、及び前記電気回路を駆動するための電源部と、前記マイク、前記振動子、前記電気回路、及び前記電源部を前記受話器に固定するためのホルダと、を有しており、前記電気回路は、前記受話器の使用又は不使用を検知するための角速度センサ又は加速度センサを有している点に特徴を有している。
【０００９】
上記振動装置において、前記振動子は、人体に接触させて、該接触部分から体組織を振動させることにより音を伝える伝導型振動子であることが好ましい。
【００１０】
上記振動装置において、前記角速度センサ又は加速度センサからの信号を受ける制御部と、前記電源部と前記制御部とを導通または遮断の切り替えをさせるスイッチング部とを有し、前記スイッチング部は、前記電源部と前記制御部との間を導通状態にして、前記マイクからの受音信号を前記振動子に伝達させる半導体素子と、前記電源部と前記制御部との間を遮断状態にして、前記マイクからの受音信号を前記振動子に伝達させないスイッチング素子又は増幅素子と、を含むことが好ましい。
【００１１】
上記振動装置において、前記半導体素子は、サイリスタ又は半導体リレーであることが好ましい。
【００１２】
上記振動装置において、前記スイッチング部は、手動スイッチに接続されていることが好ましい。
【００１３】
上記振動装置において、前記スイッチング素子又は増幅素子が、電界効果トランジスタ又は水銀スイッチであることが好ましい。
【００１４】
上記振動装置において、前記マイクは、チューブマイクであることが好ましい。
【００１５】
上記振動装置において、前記電源部は、一次電池であることが好ましい。
【００１６】
上記振動装置において、前記ホルダは、前記受話器に着脱可能なマジックテープ（登録商標）を含むことが好ましい。
【発明の効果】
【００１７】
本発明の振動装置によれば、既存の電話受話器を取り替えることなく、該電話受話器に対して簡単な取付けをするだけで、骨伝導受話を可能とする振動装置を提供することができる。また、該振動装置の電気回路が、受話器の使用又は不使用を検知するための角速度センサや加速度センサを有していることから、ユーザが使用する時又は使用しない時を該振動装置自体が判断できるように構成されている。したがって、ユーザにとって、該振動装置にまかせておけば安心して骨伝導受話を行うことができる。さらに、該振動装置を駆動させる電源の供給という観点からみれば、待機電源が不要となり消費電力を低減できることから、経済的メリットも大きい。
【図面の簡単な説明】
【００１８】
【図１】本発明の実施の形態に係る振動装置を示す全体図である。
【図２】本発明の実施の形態に係る振動装置を示す詳細図である。
【発明を実施するための形態】
【００１９】
本発明の振動装置は、受話器に取り付けられる振動装置であり、該受話器は、既存の電話受話器であれば特に限定されるものではなく、屋内の家庭用の固定電話や屋外の公衆電話の受話器であれば、機種に限定されることなく適用することができる。
【００２０】
以下、図面を参照しつつ、本発明を家庭用固定電話器に採用した場合を例にして説明する。以下の説明では、同一の部品には同一の符号を付してある。
【００２１】
図１は本発明の実施の形態に係る振動装置を示す全体図、図２は該振動装置の詳細図である。本発明の実施の形態に係る振動装置１は、図１に示すように、家庭用固定電話器の受話器２に取り付けられるものである。前記振動装置１は、図２に示すように、受話器２のスピーカ３に配置されるマイク４及び振動子５と、前記マイク４の受音信号を前記振動子５に伝達するための電気回路６と、前記マイク４、前記振動子５、及び前記電気回路６を駆動するための電源部７と、前記マイク４、前記振動子５、前記電気回路６、及び前記電源部７を前記受話器２に固定するためのホルダ８（図１に示す）とから構成されている。また、前記電気回路６には、ユーザが該受話器を使用する場合と使用しない場合とを検知するために、加速度センサ９を有している。
【００２２】
受話器２は、家庭用固定電話器の受話器である。該受話器は、機種の違いにより種々の形状のものが存在するが、本発明の実施の形態においては、ホルダ８を用いることにより、マイク４、振動子５、電気回路６、及び電源部７を受話器２に固定する構成としていることから、該受話器の形状に依存するものではなく、いずれの形状の受話器でも用いることができる。
【００２３】
スピーカ３は、既存の家庭用固定電話器の受話器に内蔵されているスピーカであり、例えば、ダイナミックスピーカやセラミックスピーカを用いることができるが、本発明の実施の形態において、該スピーカ３の形状や機種等について特に限定するものではない。
【００２４】
マイク４は、スピーカ３からの音を電気信号に変換するもので、該スピーカ３に隣接して配置されるが、本発明の実施の形態において、該マイク４の形状や機種等について特に限定するものではない。
【００２５】
振動子５は、マイク４の受音信号を受け取るもので、スピーカ３に隣接して配置されるが、本発明の実施の形態において、形状や機種等について特に限定するものではない。前記マイク４の受音信号を確実に受け取ることを考慮して、該振動子５は、例えば、人体に接触させて、該接触部分から体組織を振動させることにより音を伝える伝導型振動子であることが好ましい。
【００２６】
該振動子５は、例えば、骨伝導イヤホンに用いられるもので、ボイスコイルの内側及び外側の両領域にマグネットをそれぞれ配置させ、磁力を格段に強化し、ボイスコイルに供給される微弱な電流変化にも瞬時に反応し、これにより高音質化、電流消耗率の低減化が図れる構成を用いる。具体的には、振動部が、振動板の中心側に取付けられるヨークとしての基板上面に、第１のマグネット及び第２のマグネットを配設し、該第１のマグネットの上面に第１のプレートを設けると共に、該第２のマグネットの上面に第２のプレートを設け、これら第１、第２のプレート間のギャップに該ボイスコイルを位置させて構成されている。
【００２７】
電気回路６は、マイク４の受音信号を振動子５に伝達するためのものであり、且つ、受話器の使用又は不使用を検知するための角速度センサ又は加速度センサを有するものであれば、本発明の実施の形態において、該回路の構成部品を特に限定するものではない。
【００２８】
電源部７は、マイク４、振動子５、及び電気回路６を駆動するためのものであるが、本発明の実施の形態において、電源の種類について特に限定するものではない。
【００２９】
ホルダ８は、マイク４、振動子５、電気回路６、及び電源部７を受話器２に固定するためのものである。該ホルダ８により、受話器２を取り替えることなく、該受話器２に対して簡単な取付けをするだけで、骨伝導受話を可能とする振動装置を提供することが可能となる。本発明の実施の形態においては、該ホルダ８の形状について特に限定するものではないが、ユーザが振動装置１の取付けを行う場合の作業性や操作性を考慮して、マイク４、振動子５、電気回路６、及び電源部７をコンパクトに収納させることができる小型軽量の筐体を用いることが好ましい。また、該受話器２への該振動装置１の取付けや取り外しを、より一層簡略化させることを考慮して、例えば、該ホルダ８は、該受話器２に着脱可能なマジックテープ（登録商標）を含んだ構成や、吸着性が高く取り外しが容易な吸盤を含んだ構成、及び加工性や耐久性に優れたシリコンゴムを含んだ構成とするのが好ましい。
【００３０】
加速度センサ９は、前記受話器２の動作を検知する機能を有するものであれば、特に限定されるものではないが、例えば、振動装置１の小型軽量化を考慮して、ＭＥＭＳ（Ｍｉｃｒｏ  Ｅｌｅｃｔｒｏ  Ｍｅｃｈａｎｉｃａｌ  Ｓｙｓｔｅｍｓ）技術を適用した半導体方式の加速度センサを使用することが好ましい。また、加速度センサ９の代わりとして、市販の角速度センサを用いることもできる。
【００３１】
本発明の実施の形態において、電気回路６を適切に作動させて、受話器２の使用又は不使用を確実に判断することを考慮すると、該電気回路６は、例えば以下の回路構成であることが好ましい。すなわち、電気回路６は、加速度センサ９からの信号を受ける制御部１０と、電源部７と該制御部１０とを導通または遮断の切り替えをさせるスイッチング部１１とを有する。該スイッチング部１１は、電源部７と制御部１０との間を導通状態にして、マイク４からの受音信号を振動子５に伝達させるサイリスタ１２と、電源部７と制御部１０との間を遮断状態にして、マイク４からの受音信号を振動子５に伝達させないようにする電界効果トランジスタ１３を有する。
【００３２】
制御部１０は、加速度センサ９からの信号を検知して、該検知した信号をスイッチング部１１に伝え、電源部７と電気回路６との接続を制御すると共に、マイク４からの受音信号を出力信号に変換して振動子５に伝えることを制御するものである。本発明の実施の形態において、前記制御部１０の制御機能を有するものであれば、該制御部１０の仕様について特に限定されるものではない。
【００３３】
サイリスタ１２は、ゲートに一定の電圧をかけることにより、アノードと前記カソードとの間を導通させることができる３端子の半導体素子であり、例えば、ＳＣＲ（Ｓｉｌｉｃｏｎ  Ｃｏｎｔｒｏｌｌｅｄ  Ｒｅｃｔｉｆｉｅｒ：シリコン制御整流子、登録商標）を用いることが望ましい。また、前記サイリスタ１２の代わりに、半導体リレー（ＳＳＲ）を使用することもできる。
【００３４】
電界効果トランジスタ１３は、ゲート電極に電圧をかけ、チャネルと呼ばれる部分の電界により電子又は正孔の流れに関門（ゲート）を設ける原理で、ソース・ドレイン端子間の電流を制御するトランジスタの一種であり、ＦＥＴ（Ｆｉｅｌｄ  Ｅｆｆｅｃｔ  Ｔｒａｎｓｉｓｔｏｒ）とも略される。前記電界効果トランジスタ（以下、ＦＥＴという。）１３は、３端子型と４端子型があるが、本発明の実施においては、該ＦＥＴの機能性や作業性を考慮して、ソース、ゲート、及びドレインを要する３端子型を用いることが望ましい。また、前記ＦＥＴ１３の代わりに、水銀スイッチを使用することもできる。
【００３５】
次に、本発明の実施の形態に係る振動装置１を取付けた受話器２をユーザが使用する場合を説明する。振動装置１を取付けた受話器２の表面にあるボタン状の手動スイッチであるスイッチＳＷを押す（ＯＮにする）ことにより、サイリスタ１２のゲート１２Ｇに一定の電圧がかかる。これにより、該サイリスタ１２のアノード１２Ａとカソード１２Ｃとの間が導通状態となり、該振動装置１全体が電源ＯＮの状態になる。これにより、制御部１０はマイク４からの受音信号を出力信号に変換して、該出力信号は振動子５に送られる。前記振動子５は予めユーザに接触させてあり、該ユーザは受話音を感知することができる。
【００３６】
なお、本発明の実施の形態において、ユーザの利便性を考慮して、前記ボタン状のスイッチＳＷが、ユーザの受話器２を握る動作に伴い電源がＯＮとなる構成にすることがより好ましい。例えば、ユーザの手の平に当たる部分（受話器２の背面）にスイッチＳＷを配置することが考えられる。
【００３７】
また、本発明の実施の形態において、前記ボタン状のスイッチＳＷの機能を、加速度センサ９の機能と連動させて、ユーザが受話器２を手に持った時に自動的に電源が入る構成も可能である。ただし、この場合は、該加速度センサ９を常に作動させるための電源を継続して供給しなければならず、待機電源が不要となる構成ではない。
【００３８】
一方、振動装置１を取付けた受話器２をユーザが電話機本体に戻した場合には、加速度センサ９は受話器２が所定時間動いていないことを検知して、この情報を制御部１０に伝える。制御部１０は、ＦＥＴ１３のゲート１３ＧにＯＦＦ電圧を伝え、サイリスタ１２のアノード１２Ａとカソード１２Ｃとの間を流れていた電流は、一旦、ＦＥＴ１３のソース１３Ｓとドレイン１３Ｄとの間にバイパスされ、その後、ＦＥＴ１３のソース１３Ｓとドレイン１３Ｄとの間が遮断される。すなわち、電気回路６と電源部７とは遮断状態となり、振動装置１が電源ＯＦＦ状態になる。これにより、制御部１０はマイク４からの受音信号を出力信号に変換することを中止し、該出力信号は振動子５に送ることをやめる。
【００３９】
骨伝導受話を適切に且つスムーズに行うことを考慮して、前記マイク４は、軽量小型化が可能なチューブマイクを使用することが好ましい。該チューブマイクを使用することで、受話器のスピーカとのハウリングを最小限に抑制することが可能である。また、交流電源の取り出しや充電作業の煩雑さを考慮して、前記電源部７は、例えば、一次電池を使用することが好ましく、具体的には、アルカリ一次電池やリチウム一次電池を使用することがより好ましい。
【符号の説明】
【００４０】
１  振動装置
２  受話器
３  スピーカ
４  マイク
５  振動子
６  電気回路
７  電源部
８  ホルダ
９  加速度センサ
１０  制御部
１１  スイッチング部
１２  サイリスタ
１２Ａ  サイリスタ  アノード
１２Ｃ  サイリスタ  カソード
１２Ｇ  サイリスタ  ゲート
１３  電界効果トランジスタ（ＦＥＴ）
１３Ｓ  電界効果トランジスタ（ＦＥＴ）  ソース
１３Ｄ  電界効果トランジスタ（ＦＥＴ）  ドレイン
１３Ｇ  電界効果トランジスタ（ＦＥＴ）  ゲート
ＳＷ  スイッチ
【図１】
0006369981.tif 000002
【図２】
0006369981.tif 000003